(57)【要約】      （修正有）【課題】足の各指を固定することができる靴下の提供。【解決手段】１つの指袋部１と、該指袋部１の基端部位４に連なって足挿入口の周縁部位まで編成された本体部２とを備えた靴下１００であって、該指袋部１の基端部位４並びにこれに連なる該本体部２の一部であって、少なくともヒトの中足骨又はその近傍に対応する部分には本体部２の他の部分より靴下１００の短手方向の引張抵抗が大きい締付部３が設けられ、かつ該締付部３は足甲部分から足裏部分にわたって環状に形成されており、そして該指袋部１はその内側に足の各指をそれぞれ別々に収納する５つの指収納空間部６を有し、かつ或る指収納空間部６とその隣の指収納空間部６との間には仕切り部７が夫々設けられている形状である。【選択図】図２
0003203345.tif 000002
【実用新案登録請求の範囲】
【請求項１】
１つの指袋部と、該指袋部の基端部位に連なって足挿入口の周縁部位まで編成された本体部とを備えた靴下であって、
該指袋部の基端部位並びにこれに連なる該本体部の一部であって、少なくともヒトの中足骨又はその近傍に対応する部分には本体部の他の部分より靴下の短手方向の引張抵抗が大きい締付部が設けられ、かつ該締付部は足甲部分から足裏部分にわたって環状に形成されており、そして
該指袋部はその内側に足の各指をそれぞれ別々に収納する５つの指収納空間部を有し、かつ或る指収納空間部とその隣の指収納空間部との間には仕切り部が夫々設けられている形状である靴下。
【請求項２】
前記締付部が前記本体部の他の部分より大きな弾性力を有する糸の編み込みからなるか、又は他の部分より細かい網目を有する編み込みからなる、請求項１に記載の靴下。
【請求項３】
前記締付部の指袋部寄りの一端部及び／又はその反対側の他端部には、前記締付部の中央部に比して靴下の長手方向の引張抵抗がより小さい縒防止部がさらに設けられている、請求項１又は請求項２に記載の靴下。
【請求項４】
３つの指袋部と、該指袋部の基端部位に連なって足挿入口の周縁部位まで編成された本体部とを備えた靴下であって、
該指袋部の基端部位並びにこれに連なる該本体の一部であって、少なくともヒトの中足骨又はその近傍に対応する部分には本体部の他の部分より靴下の短手方向の引張抵抗が大きい締付部が設けられ、かつ該締付部は足甲部分から足裏部分にわたって環状に形成されており、そして
該３つの指袋部は、足先両側に設けた２つの指袋部であって、その内側に第１指及び第５指をそれぞれ別々に収納する２つの指袋部と、足先の中間部に設けた１つの指袋部であって、その内側に第２指、第３指及び第４指を収納する１つの指袋部とからなり、そして該１つの指袋部はその内側に第２指、第３指及び第４指をそれぞれ別々に収納する３つの指収納空間部を有し、かつ第２指の指収納空間部と第３指の指収納空間部、第３指の指収納空間部と第４指の指収納空間部との間には仕切り部が夫々設けられている形状である靴下。
【請求項５】
前記締付部が前記本体部の他の部分より大きな弾性力を有する糸の編み込みからなるか、又は他の部分より細かい網目を有する編み込みからなる、請求項４に記載の靴下。
【請求項６】
前記締付部の指袋部寄りの一端部及び／又はその反対側の他端部には、前記締付部の中央部に比して靴下の長手方向の引張抵抗がより小さい縒防止部がさらに設けられている、請求項４又は請求項５に記載の靴下。
【考案の詳細な説明】
【技術分野】
【０００１】
本発明は靴下に関し、詳細には、足の各指を固定することができる靴下に関する。
【背景技術】
【０００２】
近年、靴下は単に靴を履くときなどに、足に直接つける衣料としての用途以外にも、様々な用途として用いられており、種々の靴下が提案されている。
【０００３】
上記の靴下の用途の一例として、次の例が示される。近年、生活習慣の変化に伴い、靴を履いている時間が増えている。特にデザインを重視してつま先の幅が狭い靴を選ぶ女性において、親指（母趾）が第２指側に曲がり、付け根の関節が変形して痛みを生じる、いわゆる外反母趾に悩む人が増えている。このため、外反母趾を矯正するため又は外反母趾の進行を防止するための靴下が開発されている。
【０００４】
そして、そのような靴下として、例えば、第１趾袋部と第５趾袋部の間に第２趾、第３趾及び第４趾を入れる幅広趾袋部を形成するとともに、中足関節部及び第５中足骨基底部を押圧する締付け部を設けて第１趾及び第５趾を外側に開かせることにより、外反母趾や内反小趾を矯正するようにした矯正靴下が提案されている（特許文献１）。
【０００５】
また、足覆い本体部の先端部に形成される足指挿入部において、母趾が挿入される空間部と第２趾が挿入される空間部との間に、両空間部を分離することなく互いに仕切る仕切り部を設けて、母趾と第２趾とが交差しないようにした靴下等の足覆いが提案されている（特許文献２）。
【先行技術文献】
【特許文献】
【０００６】
【特許文献１】特開２００３−２９９６８５公報
【特許文献２】実用新案登録第３１５８９４６号公報
【考案の概要】
【考案が解決しようとする課題】
【０００７】
しかしながら、特許文献１に開示された矯正靴下や特許文献２に開示された靴下等の足覆いは、足の各指を固定する構成ではないので、締付け部の締付け力の強さによっては、足の各指が重なってしまい、歩行し難くなる恐れがあった。
【０００８】
そこで、本考案は、上記課題を解決するものであって、締付け部の締付け力の強さにかかわらず、足の各指が重ならない靴下を提供することを課題とする。
【課題を解決するための手段】
【０００９】
本考案者らは、上記課題を解決するために、鋭意検討した結果、靴下の指袋部について、その内側に複数の指収納空間部を有し、かつ或る指収納空間部とその隣の指収納空間部との間に仕切り部を夫々設ける形状とすることにより、締付部の締付け力の強さにかかわらず、足の各指が重ならないということを見出し、本考案を完成した。
【００１０】
すなわち、本考案の一実施態様は、
１つの指袋部と、該指袋部の基端部位に連なって足挿入口の周縁部位まで編成された本体部とを備えた靴下であって、
該指袋部の基端部位並びにこれに連なる該本体の一部であって、少なくともヒトの中足
骨又はその近傍に対応する部分には本体部の他の部分より靴下の短手方向の引張抵抗が大きい締付部が設けられ、かつ該締付部は足甲部分から足裏部分にわたって環状に形成されており、そして
該指袋部はその内側に足の各指をそれぞれ別々に収納する５つの指収納空間部を有し、かつ或る指収納空間部とその隣の指収納空間部との間には仕切り部が夫々設けられている形状である靴下
である。
【００１１】
また、本考案者らは、３つの指袋部を備えた靴下であっても、該指袋部が足先両側に設けた２つの指袋部であって、その内側に第１指及び第５指をそれぞれ別々に収納する２つの指袋部と、足先の中間部に設けた１つの指袋部であって、その内側に第２指、第３指及び第４指を収納する１つの指袋部とからなり、そして該１つの指袋部はその内側に複数指収納空間部を有し、かつ各指収納空間部の間に仕切り部が夫々設けられている形状とすることによっても、締付部の締付け力の強さにかかわらず、足の各指が重ならないということを見出し、本考案を完成した。
【００１２】
すなわち、本考案の別の実施態様は、
３つの指袋部と、該指袋部の基端部位に連なって足挿入口の周縁部位まで編成された本体部とを備えた靴下であって、
該指袋部の基端部位並びにこれに連なる該本体部の一部であって、少なくともヒトの中足骨又はその近傍に対応する部分には本体部の他の部分より靴下の短手方向の引張抵抗が大きい締付部が設けられ、かつ該締付部は足甲部分から足裏部分にわたって環状に形成されており、そして
該３つの指袋部は、足先両側に設けた２つの指袋部であって、その内側に第１指及び第５指をそれぞれ別々に収納する２つの指袋部と、足先の中間部に設けた１つの指袋部であって、その内側に第２指、第３指及び第４指を収納する１つの指袋部とからなり、そして該１つの指袋部はその内側に第２指、第３指及び第４指をそれぞれ別々に収納する３つの指収納空間部を有し、かつ第２指の指収納空間部と第３指の指収納空間部、第３指の指収納空間部と第４指の指収納空間部との間には仕切り部が夫々設けられている形状である靴下
である。
【考案の効果】
【００１３】
本考案の靴下は、従来の靴下（袋状の先端部に足の指全体を収納する靴下）や５本指靴下（５本指に対応する箇所が分かれて形成されている靴下）に比べて、足の各指を固定することができるので、締付部の締付け力の強さにかかわらず、足の各指が重ならないという効果を奏する。
【００１４】
また、本考案の靴下は、１つ又は３つの指袋部により各指を収納するので、各指を夫々収納する指袋部を５つ有する５本指靴下に比べて履きやすいという効果を奏する。
【００１５】
さらに、本考案の靴下は、足の各指を別々に収納するので、指同士が接することもなく水虫等の予防に寄与することができ、また各指を清潔に保つことができるという効果を奏する。
【図面の簡単な説明】
【００１６】
【図１】本考案の一実施態様の靴下を示す斜視図である。
【図２】本考案の一実施態様の靴下を示す上面図（ａ）と、該上面図（ａ）に示した指袋部のＡ−Ａ線断面図（ｂ）である。
【図３】本考案の一実施態様の靴下を履いた時の状態を示す上面図である。
【図４】本考案の一実施態様の靴下を履いた時の状態を示す正面図（ａ）と、該正面図（ａ）に示したＢ−Ｂ線断面図（ｂ）である。
【図５】本考案の別の実施態様の靴下を示す斜視図である。
【図６】本考案の別の実施態様の靴下を示す上面図（ａ）と、該上面図（ａ）に示した指袋部のＣ−Ｃ線断面図（ｂ）である。
【考案を実施するための形態】
【００１７】
以下、本考案の一実施形態の靴下１００について図面を参照しつつ説明する。
本考案の一実施形態の靴下１００は、例えば、図１に示すように、基本的に１つの指袋部１と、該指袋部の基端部位４に連なって足挿入口の周縁部位まで編成された本体部２とを備えた靴下
【００１８】
まず初めに、本考案の特徴の一つである指袋部１について説明する。
本考案の靴下に備えられた指袋部１は、図２（ａ）に示すように、外観上１つの指袋部１により構成されているが、図２（ｂ）に示すように、その内側は足の各指をそれぞれ別々に収納する５つの指収納空間部６を有し、かつ或る指収納空間部６とその隣の指収納空間部６との間には仕切り部７が夫々設けられている形状である。
したがって、本考案の靴下は、図２（ｂ）に示すように、足の各指をそれぞれ別々に指収納空間部６に収納するので、足の指を固定することができる。さらに足の指を固定することができることに伴い、靴下を履いた時に中足骨が横に広がり難くなる。
【００１９】
次に、本考案の特徴の一つである締付部３について説明する。
本考案の靴下は、図２（ａ）に示すように、指袋部１の基端部位４並びにこれに連なる本体部２の一部であって、少なくともヒトの中足骨又はその近傍に対応する部分には本体部の他の部分より靴下の短手方向の引張抵抗が大きい締付部３が設けられている。そして、該締付部３は足甲部分から足裏部分にわたって環状に形成されている。
【００２０】
上記締付部３の形状としては、靴下を履いた時にヒトの中足骨又はその近傍に対応する部分を十分に覆うことができる形状であれば特に限定されず、例えば、長方形、台形、楕円形、略長方形及び略台形等が挙げられ、その中でも、長方形及び略長方形が好ましい。
【００２１】
また、上記締付部３は上記本体部２の他の部分より大きな弾性力を有する糸の編み込みから構成されるか、又は他の部分より細かい網目を有する編み込みから構成されるのが好ましい。
【００２２】
さらに、上記締付部３における靴下の短手方向の引張抵抗の大きさは特に限定されず、適宜選択される。特に本考案の靴下は、上述したように、足の各指を固定することができ、これにより、締付部３における靴下の短手方向の引張抵抗の大きさにかかわらず、足の各指が重ならないので、歩行に影響を及ぼし難い。
【００２３】
本考案の靴下は、上記締付部３の指袋部寄りの一端部及び／又はその反対側の他端部には、前記締付部の中央部に比して靴下の長手方向の引張抵抗がより小さい縒防止部５がさらに設けられていることが好ましい。縒防止部５を設けることにより、靴下の縒れの発生を防止することができる。
【００２４】
また、本考案の靴下では、締付部３における靴下の短手方向の引張抵抗の大きさを阻害しない限り、締付部３に設けられる上記縒防止部５は１つ又は２つに限られず、複数であっても良い。
【００２５】
本考案の別の側面として特徴の一つである上述した指袋部１と、上述した締付部３との
組み合わせについて説明する。
図３に示すように、本考案の靴下は履いた時に、足の各指はそれぞれ別々の指収納空間部６に収納されるので、足の各指は固定される。そして、締付部３は靴下の短手方向からの引張抵抗力（締付力）によりヒトの足の中足骨又はその近傍に対応する部分を締め付ける。
上記引張抵抗力（締付力）については、本考案の靴下は足の各指の固定に伴い、中足骨を横に広がり難くする。従って、本考案の靴下は履いた時に、足甲部分に締付部を設けた、従来の靴下や５本指靴下の締付部における引張抵抗力（締付力）と比較して、小さい引張抵抗力（締付力）でヒトの中足骨又はその近傍に対応する部分を十分に締め付けることができる。
【００２６】
また、本考案の靴下は、図３に示すように、履いたときに靴下の短手方向からの引張抵抗力（締付力）により中骨足又はその近傍が第一中骨足側と第五中骨足側から締め付けることができる。従って、締付部３の引張抵抗力（締付力）の大きさを調整することにより、図４（ａ）に示すように、親指の付け根から小指の付け根を結ぶ横アーチＸを修正して、正常な状態の足の骨格に戻すことが可能であり、また図４（ｂ）に示すように、土踏まずによる縦アーチＹを修正して、正常な状態の足の骨格に戻すことが可能である。したがって、これにより、本考案の靴下は外反母趾を矯正したり、外反母趾の進行を防止することが期待できる。
【００２７】
以上のことより、本考案の靴下は、上述した指袋部１と、上述した締付部３との組み合わせたことにより、外反母趾を矯正する効果や外反母趾の進行を防止するための効果をも奏することが期待できる。
【００２８】
次に、本考案の別の実施形の靴下２００について図面を参照しつつ説明する。
本考案の別の実施形態の靴下２００は、例えば、図５に示すように、基本的に３つの指袋部２１、２２、２３と、該指袋部の基端部位２６に連なって足挿入口の周縁部位まで編成された本体部２４とを備えた構造である。
【００２９】
まず初めに、本考案の特徴の一つである指袋部２１、２２、２３について説明する。
本考案の靴下に備えられた指袋部２１、２２、２３は、図６（ａ）に示すように、外観上３つの指袋部により構成されており、指袋部は、足先両側に設けた２つの指袋部であって、その内側に第１指及び第５指をそれぞれ別々に収納する２つの指袋部２１、２３と、足先の中間部に設けた１つの指袋部であって、その内側に第２指、第３指及び第４指を収納する１つの指袋部２２とからなる。そして、図６（ｂ）に示すように、該１つの指袋部２２は、その内側に第２指、第３指及び第４指をそれぞれ別々に収納する３つの指収納空間部２８を有し、かつ第２指の指収納空間部２８と第３指の指収納空間部２８、第３指の指収納空間部２８と第４指の指収納空間部２８との間には仕切り部２９が夫々設けられている形状である。
【００３０】
また、本考案の別の実施形態の靴下２００において、本考案の特徴の一つである締付部２５、及び本考案の別の側面として特徴の一つである指袋部２１、２２、２３と、締付部２５との組み合わせについては、本考案の一実施態様の靴下１００で説明した通りである。
【００３１】
なお、以上説明した本考案の実施の形態は本考案を具現化するための一例を示したものであり、これに限定されるものではなく本考案の要旨を逸脱しない範囲において種々の変形を施すことができる。
【符号の説明】
【００３２】
１００・・靴下
１・・・指袋部
２・・・本体部
３・・・締付部
４・・・基端部位
５・・・段差部
６・・・指収納空間部
７・・・仕切り部
８・・・ヒトの足の中足骨
Ｘ・・・・横アーチ
Ｙ・・・・縦アーチ
２００・・靴下
２１・・指袋部
２２・・指袋部
２３・・指袋部
２４・・本体部
２５・・締付部
２６・・基端部位
２７・・段差部
２８・・指収納空間部
２９・・仕切り部
【図１】
0003203345.tif 000003
【図２】
0003203345.tif 000004
【図３】
0003203345.tif 000005
【図４】
0003203345.tif 000006
【図５】
0003203345.tif 000007
【図６】
0003203345.tif 000008